(57)【要約】【課題】基板取付けに掛かる作業を改善するとともに、基板間のコネクタ接続の信頼性を向上させる電子機器装置を提供する。【解決手段】電子部品を搭載した第１の基板２０と第２の基板３０とをシャーシ７０内に収納して電子機器装置とする場合には、第１の基板２０と第２の基板３０とをそれぞれ基板取付けシャーシ７０にネジ等によって取り付けた後に太矢印方向に移送して筐体６０の上部及び下部に設けられたネジ孔６１と基板取付けシャーシ７０の折曲げ接片に設けたネジ孔７３とを合わせてネジ等で固定する。なお、基板取付けシャーシ７０に第１の基板２０および第２の基板３０を取り付ける場合には併せてコネクタ接続を行うようにしているので、コネクタ装着を容易に行うことができ、またコネクタ実装端子部に負荷を掛けることもなくなるので、製品の品質を向上させることができる。【選択図】    図１
2004266021.tif 000002
【特許請求の範囲】
【請求項１】
表面及び裏面に設けられたスペーサと貫通孔を有し、周辺に折曲げ片が設けられた基板取付けシャーシと、
前記貫通孔に貫通する第１のコネクタを有し、前記表面のスペーサに取付けられた第１の基板と、
前記貫通孔に貫通し、前記第１のコネクタに接続する第２のコネクタを有し、前記裏面のスペーサに取付けられた第２の基板と、
前記基板取付けシャーシを収納する筐体とを備えた電子機器装置。
【請求項２】
前記基板取付けシャーシの所定位置に貫通孔を設け、前記貫通孔を経て前記第１の基板の裏面及び前記第２の基板の裏面に実装されたコネクタを接続するようにしたことを特徴とする請求項１に記載の電子機器装置。
【請求項３】
前記基板取付けシャーシの上辺及び下辺に複数の折曲げ接片を設け、前記第１の基板または前記第２の基板を前記基板取り付けシャーシに取り付ける際に、他方の基板上に搭載された回路部品を前記折曲げ接片で保護すると共に前記第１の基板および前記第２の基板を前記筐体に収納するときに前記基板に搭載された回路部品を前記折曲げ接片で保護するようにしたことを特徴とする請求項１に記載の電子機器装置。
【請求項４】
前記複数の折曲げ接片のうち、一方の基板側にだけネジ孔を設けたことを特徴とする請求項３に記載の電子機器装置。
【請求項５】
前記基板取付けシャーシの両面に複数のスペーサを設け、基板との間に所定の空隙が確保されることを特徴とする請求項１乃至請求項３のいずれかに記載の電子機器装置。
【請求項６】
前記筐体の収納側上辺に緩衝材を付着させたことを特徴とする請求項１に記載の電子機器装置。
【発明の詳細な説明】
【０００１】
【発明の属する技術分野】
本発明は、基板間（ボード・ツー・ボード）接続して基板を筐体に収納する電子機器装置に関する。
【０００２】
【従来の技術】
図５は、従来の電子機器装置の構成を示す分解斜視図であり、コの字型した筐体１０には、第１の基板２０と第２の基板３０をネジ等で固定するための固定部１１、１２が筐体１０の上部と下部に設けられている。
【０００３】
筐体１０の上部に設けられた上部固定部１１は、筐体１０の一部を切り欠いて固定用の折曲げ接片を所定位置に形成したものであり、筐体１０の下部に設けられた下部固定部１２は、予め成形された固定用部材を筐体１０の下面の所定位置に溶接等により固定して設けたものであり、固定部１１、１２にはネジ等で固定するための孔がそれぞれ設けられている。なお、コの字型した筐体１０には、ネジ止め作業をしやすいように上記ネジ孔に対応する位置に切り欠きが設けられている。また、後面には外部コネクタを接続するための複数の孔が設けられている。
【０００４】
図５において電子部品を搭載した第１の基板２０と第２の基板３０を筐体１０内に収納して電子機器装置とする場合には、まず第１の基板２０を太矢印方向に移送して筐体１０の所定位置に設けられた固定部１１、１２に固定する。すなわち、第１の基板２０を上部固定部１１と下部固定部１２とでネジ等で固定する。この時点では第１の基板２０の後面に設けられたコネクタ２１は未接続状態である。
【０００５】
次に第２の基板３０を筐体１０の所定位置に設けられた固定部１１、１２まで太矢印方向に移送する。その場合、第２の基板３０の後面に設けられたコネクタ３１を既に固定されている第１の基板２０のコネクタ２１に接続する作業と外部接続用コネクタが配置された後部を筐体１０の後部孔に挿入させる作業とを並行して行った上で上部固定部１１と下部固定部１２とでネジ等で固定する。
【０００６】
なお、基板に設けられたコネクタ同志を接続する技術は下記特許文献１に示すように従来から知られている。
【０００７】
このようにした後に、コの字型した筐体１０に上方からカバー５０を被せ、ネジ等でカバー５０を固定する。最後に前面パネル４０をコの字型した筐体１０の前面に蓋をするようにして取付け、ネジで前面パネル４０を固定する。なお、前面パネル４０内の側部にガイド板４１を具備しておくことで組立てを容易にすることができ、また、機械的な補強も可能とすることができる。
【０００８】
【特許文献１】
特開平９−７７１５号公報
【０００９】
【発明が解決しようとする課題】
このように従来の電子機器装置においては、第２の基板３０を筐体の所定位置に固定するために上記したような並行作業を行わなければならないため、第２の基板３０の取付け時に斜め方向からコネクタ接続を行わざるを得ず、コネクタ接続が困難であるという問題があった。
【００１０】
また、コネクタ接続を済ませたとしてもコネクタ実装端子部に相当の負荷を掛けることになるので断線などの不具合が発生して製品の品質を十分に担保することができないという問題があった。
【００１１】
本発明は、上記した従来の問題点を解決するもので、基板取付けに掛かる作業を改善するとともに、基板間のコネクタ接続の信頼性を向上させる電子機器装置を提供することを目的とする。
【００１２】
【課題を解決するための手段】
上記問題を解決するために本発明の請求項１記載の発明は、表面及び裏面に設けられたスペーサと貫通孔を有し、周辺に折曲げ片が設けられた基板取付けシャーシと、前記貫通孔に貫通する第１のコネクタを有し、前記表面のスペーサに取付けられた第１の基板と、前記貫通孔に貫通し、前記第１のコネクタに接続する第２のコネクタを有し、前記裏面のスペーサに取付けられた第２の基板と、前記基板取付けシャーシを収納する筐体とを備えたことを特徴とする。この構成により、組立てのための工数を大幅に削減することができるとともに、筐体への基板取付け作業を大幅に改善することができる。
【００１３】
また本発明の請求項２記載の発明は、請求項１記載の発明において、前記基板取付けシャーシの所定位置に貫通孔を設け、前記貫通孔を経て前記第１の基板の裏面及び前記第２の基板の裏面に実装されたコネクタを接続するようにしたことを特徴とする。この構成により、コネクタ装着を容易に行うことができ、またコネクタ実装端子部に負荷を掛けることもなくなるので、製品の品質を向上させることができる。
【００１４】
また本発明の請求項３記載の発明は、請求項１記載の発明において、前記基板取付けシャーシの上辺及び下辺に複数の折曲げ接片を設け、前記第１の基板または前記第２の基板を前記基板取り付けシャーシに取り付ける際に、他方の基板上に搭載された回路部品を前記折曲げ接片で保護すると共に前記第１の基板および前記第２の基板を前記筐体に収納するときに前記基板に搭載された回路部品を前記折曲げ接片で保護するようにしたことを特徴とする。この構成により、基板の取り付け及び基板を筐体に収納するとき基板に搭載した回路部品を保護することができる。
【００１５】
また本発明の請求項４記載の発明は、請求項３記載の発明において、前記複数の折曲げ接片のうち、一方の基板側にだけネジ孔を設けたことを特徴とする。この構成により、組立てのための工数を削減することができるとともに、筐体への基板取付け作業を改善することができる。
【００１６】
また本発明の請求項５記載の発明は、請求項１乃至請求項３のいずれかに記載の発明において、前記基板取付けシャーシの両面に複数のスペーサを設け、基板との間に所定の空隙が確保されることを特徴とする。この構成により、放熱スペースを確保することができるとともに筐体内における作業性を確保することができる。
【００１７】
また本発明の請求項６記載の発明は、請求項１記載の発明において、前記筐体の収納側上辺に緩衝材を付着させたことを特徴とする。この構成により、組立てをソフトに行うことができ、また機械的な振動の発生を防ぐようにすることができる。
【００１８】
【発明の実施の形態】
以下、本発明の実施の形態について、図面を用いて説明する。
【００１９】
図１は、本発明の実施の形態に係る電子機器装置の構成を示す分解斜視図であり、本発明の電子機器装置においては、第１の基板２０と第２の基板３０とを基板取付けシャーシ７０にそれぞれ取り付けるとともにコネクタ接続を行って基板間接続が達成され、それをコの字型した筐体６０に組み込んで固定するようにしている。
【００２０】
また基板取付けシャーシ７０には、筐体６０に固定するための折曲げ接片７２が第１の基板２０側及び第２の基板３０側に向けて上下に複数設けられており、また少なくとも折曲げ接片７２の一部にはネジ等で固定するための孔７３が設けられている。なお、第１の基板２０の裏面および第２の基板３０の裏面に設けられたコネクタを直接接続するために基板取付けシャーシ７０には所定位置に貫通孔が設けられ、この貫通孔を経てコネクタ接続が達成されるようになっている。さらに、基板取付けシャーシ７０には、所定位置にネジを受け入れるスペーサが設けられており、このスペーサにネジが挿通されて第１の基板２０および第２の基板３０が固定されるようになっている。これらについては後述する。
【００２１】
第１の基板２０及び第２の基板３０を取り付けた基板取付けシャーシ７０をコの字型した筐体６０内に迎え入れるために緩衝材６２がコの字型した筐体６０の上辺に付着されている。また、コの字型した筐体６０の上部及び下部には上述した基板取付けシャーシ７０の折曲げ接片に設けたネジ孔７３に対応してネジ孔６１が設けられている。なお、ネジ孔６１は筐体６０の上辺に付着されている緩衝材６２を貫通するように設けられており、また従来例と同様にコの字型した筐体６０の後面には外部コネクタを接続するための複数の孔が設けられている。
【００２２】
図１において電子部品を搭載した第１の基板２０と第２の基板３０とを基板取付けシャーシ７０内に収納して電子機器装置とする場合には、第１の基板２０と第２の基板３０とをそれぞれ基板取付けシャーシ７０にネジ等によって取り付けた後に太矢印方向に移送して筐体６０の上部及び下部に設けられたネジ孔６１と基板取付けシャーシ７０の折曲げ接片に設けられたネジ孔７３とを合わせてネジ等で固定する。なお、基板取り付けシャーシ７０に第１の基板２０および第２の基板３０を取り付ける場合には併せてコネクタ接続を行うようにしているので、コネクタ装着を容易に行うことができ、またコネクタ実装端子部に負荷を掛けることもなくなるので、製品の品質を向上させることができる。
【００２３】
次に、コの字型した筐体６０に上方からカバー５０を被せ、ネジ等でカバー５０を固定する。最後に前面パネル４０をコの字型した筐体６０の前面に蓋をするようにして取付け、ネジ等で前面パネル４０を固定する。なお、従来例と同様に前面パネル４０内の側部にガイド板４１を具備しておくことで組立てを容易にすることができ、また、機械的な補強も可能とすることができる。
【００２４】
図２は、本発明の実施の形態に係る基板取付けシャーシの構成を示す斜視図である。図２において基板取付けシャーシ７０には、上辺及び下辺に複数の折曲げ接片７２が対称的に設けられており、おのおのの折曲げ接片７２は第１の基板２０側および第２の基板３０側に向けられている。また、図２の例では第１の基板２０側の折曲げ接片７２にネジ孔７３を設けている。これにより、組立てのための工数を削減することができるとともに、筐体への基板取付け作業を改善することができる。なお、第２の基板３０側の折曲げ接片７２にネジ孔７３を設けるようにしてもよい。
【００２５】
そして図２の基板取付けシャーシ７０の所定位置に貫通孔７１が設けられており、この貫通孔７１を経て第１の基板２０の裏面に設けたコネクタ２１と第２の基板３０の裏面に設けたコネクタ３１とを相互接続する。また基板取付けシャーシ７０には第１の基板２０および第２の基板３０を所定の間隔に保持するためにスペーサ７４が複数箇所に設けられており、そのスペーサ７４内に雌ネジが切られており、取付けの際には雄ネジが挿通されるようになっている。この構成により、放熱スペースを確保することができるとともに筐体内における作業性を確保、すなわち各基板の後面に装着されたコネクタを筐体６０の後面孔から筐体外部に容易に導くことができる。なお、第１の基板２０および第２の基板３０は、従来構成と変わるものではない。
【００２６】
図３は、本発明の実施の形態に係る基板取付けシャーシに第１および第２の基板を取り付けた場合の構成を示す斜視図である。図３に示すように、第１の基板２０および第２の基板３０はネジ７５等により本発明の実施の形態に係る基板取付けシャーシ７０に確実に固定される。
【００２７】
また本発明の実施の形態に係る基板取付けシャーシ７０は、折曲げ接片７２がネジ等で筐体に固定されるようにするために上下方向で各基板より長いように設定されており、また、第１の基板２０および第２の基板３０の前後方向に取付けられている外部コネクタ等の接続作業の邪魔にならないようにするために前後方向で各基板よりも短いように設定されている。
【００２８】
図４は、本発明の実施の形態に係る電子機器装置の組立て斜視図であり、図２及び図３に示したように基板取付けシャーシ７０に第１の基板２０および第２の基板３０を取付け、図１に示したような手順で組立てられたものである。
【００２９】
このように本発明の電子機器装置は、基板取付けシャーシ７０に第１の基板２０および第２の基板３０を取り付けてから筐体６０に収納するので、組立てのための工数を大幅に削減することができるとともに、筐体６０への基板取付け作業を大幅に改善することができる。また、第１の基板２０および第２の基板３０を取り付ける場合に併せてコネクタ接続を行うようにしているので、コネクタ装着を容易に行うことができ、またコネクタ実装端子部に負荷を掛けることもなくなるので、製品の品質を向上させることができる。
【００３０】
【発明の効果】
以上のように本発明の電子機器装置は、基板取付けシャーシに第１の基板および第２の基板を取り付けてから筐体に収納するので、組立てのための工数を大幅に削減することができるとともに、筐体への基板取付け作業を大幅に改善することができるという効果が得られる。
【００３１】
また、第１の基板および第２の基板を基板取付けシャーシに取り付ける場合に併せてコネクタ接続を行うようにしているので、コネクタ装着を容易に行うことができ、またコネクタ実装端子部に負荷を掛けることもなくなるので、製品の品質を向上させることができるという効果が得られる。
【００３２】
また、基板取付けシャーシに複数の折曲げ接片を設けているので、基板を基板取り付けシャーシに取り付ける際に、他方の基板上に搭載された回路部品を前記折曲げ接片で保護することができる。また、基板を筐体に収納するとき基板に搭載した回路部品を保護することができるという効果が得られる。
【図面の簡単な説明】
【図１】本発明の実施の形態に係る電子機器装置の構成を示す分解斜視図、
【図２】本発明の実施の形態に係る基板取付けシャーシの構成を示す斜視図、
【図３】本発明の実施の形態に係る基板取付けシャーシに第１および第２の基板を取り付けた場合の構成を示す斜視図、
【図４】本発明の実施の形態に係る電子機器装置の組立て斜視図、
【図５】従来の電子機器装置の構成を示す分解斜視図である。
【符号の説明】
１０  筐体
１１  上部固定部
１２  下部固定部
２０  第１の基板
２１  コネクタ
３０  第２の基板
３１  コネクタ
４０  前面パネル
４１  ガイド板
５０  カバー
６０  筐体
６１  ネジ孔
６２  緩衝材
７０  基板取付けシャーシ
７１  貫通孔
７２  折曲げ接片
７３  ネジ孔
７４  スペーサ
７５  ネジ
【図１】
2004266021.tif 000003
【図２】
2004266021.tif 000004
【図３】
2004266021.tif 000005
【図４】
2004266021.tif 000006
【図５】
2004266021.tif 000007